(57)【要約】【課題】一体型ゴム栓の装着時における外周からの押圧力によって貫通穴のピッチずれが生じるのを防止する。【解決手段】本体ハウジング１２の空洞部１２ｄ内に装着される一体型ゴム栓１４に、端子収容室１２ａと連通する貫通穴１４ｂを設け、かつ、一体型ゴム栓１４の外周面にリブ１４ａを設ける。そして、一体型ゴム栓１４の最外周に位置する貫通穴１４ｂは挿入先端側を外方へ屈曲させるようにしている。これにより、一体型ゴム栓１４の端子収容室１２ａへの装着時に、挿入側先端に内方への押圧力が付加されたとき最外周の貫通穴１４ｂが直線状に変形することで端子収容室１２ａとピッチずれなく連通させるようにしている。【選択図】  図１
2004158356.tif 000002
【特許請求の範囲】
【請求項１】
複数の端子収容室の背面側に周壁に囲まれた空洞部を設けた本体ハウジングと、該本体ハウジングの空洞部の周壁に外嵌して上記空洞部を閉鎖するリヤホルダーと、該リヤホルダーの内面側に突設されて上記空洞部内に押し込まれる一体型ゴム栓とを備え、
上記リヤホルダーおよび一体型ゴム栓に上記端子収容室と連通する貫通穴を設けていると共に、上記一体型ゴム栓の最外周に位置する上記貫通穴は挿入先端側を外方へ屈曲させ、かつ、上記一体型ゴム栓の外周面にリブを設け、
上記一体型ゴム栓のリブが上記空洞部の周壁に圧接されることで、該一体型ゴム栓の挿入側先端に付加される押圧力により上記外方に向けて屈曲させている貫通穴を直線状に変形させて上記端子収容室とピッチずれなく連通させていることを特徴とする防水コネクタ。
【請求項２】
複数の端子収容室の背面側に周壁に囲まれた空洞部を設けた本体ハウジングと、該本体ハウジングの空洞部の周壁に外嵌して上記空洞部を閉鎖するリヤホルダーと、該リヤホルダーの内面側に突設されて上記空洞部内に押し込まれる一体型ゴム栓とを備え、
上記リヤホルダーおよび一体型ゴム栓に上記端子収容室と連通する貫通穴を設け、上記リヤホルダーの最外周に位置する上記貫通穴を大径とすると共に、該大径の貫通穴に連通させる一体型ゴム栓の最外周に位置する貫通穴はリヤホルダー側を大径穴とし、挿入側先端に向けて貫通穴内面側を外方へ傾斜させる一方、貫通穴外面側は傾斜させずに、該貫通穴を小径化し、かつ、上記一体型ゴム栓の外周面にリブを設け、
上記一体型ゴム栓のリブが上記空洞部の周壁に圧接されることで、該一体型ゴム栓の挿入側先端に付加される押圧力により上記最外周位置の貫通穴が変形して先端挿入側の貫通穴の開口を上記端子収容室とピッチずれなく連通させていることを特徴とする防水コネクタ。
【請求項３】
複数の端子収容室の背面側に周壁に囲まれた空洞部を設けた本体ハウジングと、該本体ハウジングの空洞部の周壁に外嵌して上記空洞部を閉鎖するリヤホルダーと、該リヤホルダーの内面側に突設されて上記空洞部内に押し込まれる一体型ゴム栓とを備え、
上記リヤホルダーおよび一体型ゴム栓に上記端子収容室と連通する貫通穴を設け、上記一体型ゴム栓の最外周に位置する上記貫通穴は挿入先端側に向けて外面側を外方へ傾斜させる一方、内面側は傾斜させずに、該貫通穴を拡径させ、かつ、上記一体型ゴム栓の外周面にリブを設け、
上記一体型ゴム栓のリブが上記空洞部の周壁に圧接されることで、該一体型ゴム栓の挿入側先端に付加される押圧力により上記最外周位置の貫通穴が変形して先端挿入側の貫通穴の開口を上記端子収容室とピッチずれなく連通させていることを特徴とする防水コネクタ。
【請求項４】
上記本体ハウジングの空洞部にインナーハウジングを収容すると共に、該インナーハウジングに設けた貫通穴を上記本体ハウジングの端子収容室および上記一体型ゴム栓とリヤホルダーの貫通穴とに直線状に連通させている請求項１乃至請求項３のいずれか１項に記載の防水コネクタ。
【請求項５】
電線端末に接続した端子金具を上記リヤホルダー、一体型ゴム栓およびインナーハウジングの貫通穴を通し、上記インナーハウジングの貫通穴に設けた係止部で上記端子金具の被係止部を係止し、該端子金具の先端部を本体ハウジングの端子収容室に収容している請求項４に記載の防水コネクタ。
【請求項６】
上記一体型ゴム栓は弾性を有するエラストマーで成形すると共に上記リヤホルダーを剛性を有する合成樹脂で成形し、該リヤホルダーと上記一体型ゴム栓とは弾性樹脂と上記合成樹脂とを二色成形することで一体的に設けている請求項１乃至請求項５のいずれか１項に記載の防水コネクタ。
【発明の詳細な説明】
【０００１】
【発明の属する技術分野】
本発明は防水コネクタに関し、詳しくは、一体型ゴム栓の変形によって貫通穴と端子収容室との間にピッチずれが生じるのを防止するものである。
【０００２】
【従来の技術】
一般に、防水コネクタとして複数の電線挿通経路を一括して防水するために、一体型ゴム栓を使用したものが知られている（特許文献１）。このような防水コネクタ１は、図１０（Ａ）に示すように、複数の端子収容室２ａが形成されたコネクタハウジング２の背面側に、周壁２ｂに囲まれた空洞部２ｃを備えている。そして、この空洞部２ｃの内面には、弾性的に密着可能なリブ３ａが外周に周設された一体型ゴム栓３が装着されている。一体型ゴム栓３は、各端子収容室２ａの配置に対応した貫通穴３ｂが設けられ、この貫通穴３ｂを通して電線Ｗの端末に取り付けられた端子金具Ｔを各端子収容室２ａ内に挿入すると共に、貫通穴３ｂの内周部を電線Ｗ外周に弾性的に密着させることで、電線Ｗとの間の防水を図るようにしている。更に、周壁２ｂの後端面には、空洞部２ｃに装着された一体型ゴム栓３を保持するためのリヤホルダー４が装着されている。
【０００３】
【特許文献１】
特開平９−１７５０７号公報
【０００４】
【発明が解決しようとする課題】
上記の一体型ゴム栓３を用いる防水コネクタ１においては、図１０（Ｂ）に示すように、一体型ゴム栓３をコネクタハウジング２の空洞部２ｃ内に挿入したとき、一体型ゴム栓３が空洞部２ｃの内壁部によって縮径方向に押圧された状態となる。この押圧作用により、特に外周近くの貫通穴３ｂが内方へピッチずれした状態となるため、貫通穴３ｂの中心軸と端子収容室２ａの中心軸にズレが生じる可能性がある。このような位置ズレが生じると、貫通穴３ｂを通して端子収容室２ａ内に端子金具Ｔを挿入する場合、端子金具Ｔの先端部が端子収容室２ａの入り口の隔壁部に当接して変形等を生じるおそれがあった。
【０００５】
本発明は、上記した問題に鑑みてなされたものであり、一体型ゴム栓の装着に伴ってこの一体型ゴム栓に縮径方向の押圧力が作用した場合においても、端子収容室に対する貫通穴の中心軸のズレを最小限に止めることができるようにすることを課題としている。
【０００６】
【課題を解決するための手段】
上記課題を解決するために、本発明は、複数の端子収容室の背面側に周壁に囲まれた空洞部を設けた本体ハウジングと、該本体ハウジングの空洞部の周壁に外嵌して上記空洞部を閉鎖するリヤホルダーと、該リヤホルダーの内面側に突設されて上記空洞部内に押し込まれる一体型ゴム栓とを備え、
上記リヤホルダーおよび一体型ゴム栓に上記端子収容室と連通する貫通穴を設けていると共に、上記一体型ゴム栓の最外周に位置する上記貫通穴は挿入先端側を外方へ屈曲させ、かつ、上記一体型ゴム栓の外周面にリブを設け、
上記一体型ゴム栓のリブが上記空洞部の周壁に圧接されることで、該一体型ゴム栓の挿入側先端に付加される押圧力により上記外方に向けて屈曲させている貫通穴を直線状に変形させて上記端子収容室とピッチずれなく連通させていることを特徴とする防水コネクタを提供している。
【０００７】
上記構成によれば、一体型ゴム栓が本体ハウジングの空洞部に押し込まれることによって縮径方向の押圧力を受けた場合、外方に向けて屈曲されている最外周の貫通穴が、その押圧力により内方へ押圧される結果、貫通穴は直線状となるため、端子収容室との間にピッチずれが生じるのを防止することができる。
【０００８】
また、他の発明においては、上記リヤホルダーおよび一体型ゴム栓に上記端子収容室と連通する貫通穴を設け、上記リヤホルダーの最外周に位置する上記貫通穴を大径とすると共に、該大径の貫通穴に連通させる一体型ゴム栓の最外周に位置する貫通穴はリヤホルダー側を大径穴とし、挿入側先端に向けて貫通穴内面側を外方へ傾斜させる一方、貫通穴外面側は傾斜させずに、該貫通穴を小径化し、かつ、上記一体型ゴム栓の外周面にリブを設け、
上記一体型ゴム栓のリブが上記空洞部の周壁に圧接されることで、該一体型ゴム栓の挿入側先端に付加される押圧力により上記最外周位置の貫通穴が変形して先端挿入側の貫通穴の開口を上記端子収容室とピッチずれなく連通させていることを特徴とする防水コネクタを提供している。
【０００９】
このように構成すれば、一体型ゴム栓が本体ハウジングの空洞部に押し込まれることによって内方への押圧力を受けた場合、外方に向けて内面側を傾斜させた最外周の貫通穴が、その押圧力により内方へ押圧される結果、貫通穴は端子収容室の軸線と一致する状態となるため、端子収容室との間にピッチずれが生じるのを防止することができる。
【００１０】
更に他一方の発明においては、上記リヤホルダーおよび一体型ゴム栓に上記端子収容室と連通する貫通穴を設け、上記一体型ゴム栓の最外周に位置する上記貫通穴は挿入先端側に向けて外面側を外方へ傾斜させる一方、内面側は傾斜させずに、該貫通穴を拡径させ、かつ、上記一体型ゴム栓の外周面にリブを設け、
上記一体型ゴム栓のリブが上記空洞部の周壁に圧接されることで、該一体型ゴム栓の挿入側先端に付加される押圧力により上記最外周位置の貫通穴が変形して先端挿入側の貫通穴の開口を上記端子収容室とピッチずれなく連通させていることを特徴とする防水コネクタを提供している。
【００１１】
これにより、一体型ゴム栓が本体ハウジングの空洞部に押し込まれることによって内方への押圧力を受けた場合、外方に向けて外面側を傾斜させて拡径した貫通穴が、その押圧力により傾斜した外面側が内方へ押圧される結果、拡径した分が縮径されて直線状となり、よって端子収容室との間にピッチずれが生じるのを防止することができる。
【００１２】
また、上記本体ハウジングの空洞部にインナーハウジングを収容すると共に、該インナーハウジングに設けた貫通穴を上記本体ハウジングの端子収容室および上記一体型ゴム栓とリヤホルダーの貫通穴とに直線状に連通させるようにしてもよい。成型上の都合等によりコネクタハウジングを本体ハウジングとインナーハウジングに分割構成したコネクタにおいては、インナーハウジングに設けた貫通穴を通して端子金具を本体ハウジングの端子収容室へ導入することとなる。このような場合においても、インナーハウジングの貫通穴が端子収容室および上記一体型ゴム栓とリヤホルダーの貫通穴とに直線状に連通しているので、端子金具の挿入操作を円滑に行うことができる。
【００１３】
また、電線端末に接続した端子金具を上記リヤホルダー、一体型ゴム栓およびインナーハウジングの貫通穴を通し、上記インナーハウジングの貫通穴に設けた係止部で上記端子金具の被係止部を係止し、該端子金具の先端部を本体ハウジングの端子収容室に収容している。
上記のように一体型ゴム栓は、端子収容室との間のピッチずれが解消されることにより、リヤホルダーを装着した状態で端子金具をリヤホルダーの貫通穴から、一体型ゴム栓およびインナーハウジングを通して本体ハウジングの端子収容室に作業性よく挿入することができる。そして端子金具は、インナーハウジングに設けた係止部により確実に係止保持することができる。
【００１４】
また、上記一体型ゴム栓は弾性を有するエラストマーで成形すると共に上記リヤホルダーを剛性を有する合成樹脂（以下、剛性樹脂と称す）で成形し、該リヤホルダーと上記一体型ゴム栓とは弾性樹脂と剛性樹脂とを二色成形することで一体的に設けるようにするのが好ましい。このようにすれば、一体型ゴム栓の基部がリヤホルダーと一体化されるため、一体型ゴム栓の空洞部への装着時に基部が押圧力を受けても一体型ゴム栓の貫通穴とリヤホルダーの貫通穴との間にピッチずれを生じることがない。よって、リヤホルダーを通しての端子金具の挿入初期段階から端子金具の正規の挿入軌道を確保することができる。
【００１５】
【発明の実施の形態】
以下、本発明の実施形態を図面を参照して説明する。
図１〜図５は本発明の防水コネクタ１０の第１実施形態を示し、合成樹脂製の本体ハウジング１２およびインナーハウジング１３との２体構造からなるハウジング１１と、複数の電線Ｗを一括して挿通可能な一体型ゴム栓１４と、本体ハウジング１２の背面側に装着されるリヤホルダー１５と、電線Ｗの端末に取り付けられて本体ハウジング１２内に収容される端子金具Ｔとからなっている。
【００１６】
本体ハウジング１２は、前後方向に貫通して複数段、複数列にわたって設けた端子収容室１２ａを備え、前面側には相手側コネクタ（図示せず）の雄タブを受け入れるために前面に開放したタブ挿入口１２ｂを備えている。本体ハウジング１２の背面側には、周壁１２ｃを後方へ一体的に延出して、その周壁１２ｃに囲まれた空洞部１２ｄを形成し、この空洞部１２ｄをインナーハウジング１３および一体型ゴム栓１４の収容部としている。空洞部１２ｄは本体ハウジング１２に形成された複数の各端子収容室１２ａの後部に連通している。
【００１７】
インナーハウジング１３は空洞部１２ｄの奥部分に内嵌され、内嵌状態において空洞部１２ｄの後部に一体型ゴム栓１４を装着可能なスペースを残している。このインナーハウジング１３には、本体ハウジング１２の各端子収容室１２ａと連通する貫通穴１３ａが形成され、貫通穴１３ａの内面部には端子金具Ｔの被係止部Ｔａと係合して端子金具Ｔを抜け止め保持するための係止部１３ｂを形成している。図５においては、係止部１３ｂとして端子金具Ｔの挿入方向に向かって方持ち梁状に突出するランスと、被係止部Ｔａとして端子金具Ｔの接続部後端の顎部として示したが、端子金具Ｔを抜け止め保持できれば、係止突起と係止孔、凹部と凸部等の適宜係止手段を採用可能である。
【００１８】
一体型ゴム栓１４は図２（Ａ）（Ｂ）に示すように、弾性を有するエラストマーにより空洞部１２ｄに対応して方形板状に形成されている。一体型ゴム栓１４の外周には外方へ突出する複数本の環状のリブ１４ａが一体的に周設され、図３に示すように、空洞部１２ｄ内に一体型ゴム栓１４を挿入したときリブ１４ａが空洞部１２ｄの周壁１２ｃ内周に弾性的に圧接されるようになっている。また、一体型ゴム栓１４には各端子収容室１２ａに連通するように、各端子収容室１２ａおよびインナーハウジング１３の貫通穴１３ａの配置に対応して、前後方向に貫通する複数の貫通穴１４ｂを形成している。この貫通穴１４ｂの内径は、電線Ｗの外周に対し弾性的に密着可能な径とされている。
【００１９】
リヤホルダー１５は、図１、図２（Ａ）（Ｂ）に示すように、本体ハウジング１２と同様に合成樹脂にて形成され、本体ハウジング１２の空洞部１２ｄを閉鎖するように周壁１２ｃの背面部に外嵌可能なキャップ状とされている。リヤホルダー１５の外周部１５ａと本体ハウジング１２の周壁１２ｃには、図３に示すように、凹凸係合するロック部１６を設けて、リヤホルダー１５を周壁１２ｃに係止固定可能としている。また、リヤホルダー１５の基部１５ｂには一体型ゴム栓１４の各貫通穴１４ｂに対応して、端子金具Ｔを挿通可能な貫通穴１５ｃを形成している。
【００２０】
弾性樹脂からなる一体型ゴム栓１４と、剛性樹脂からなるリヤホルダー１５は基部１５ｂの内面で互いに密着した状態で二色成形により一体化すると共に、両者の貫通穴１４ｂ、１５ｃを互いに連通させた状態としている。
また、一体型ゴム栓１４の最外周に位置する貫通穴１４Ｂは挿入先端側を外方へ屈曲させるようにして傾斜した経路としている。この貫通穴１４Ｂを屈曲させる度合いは、一体型ゴム栓１４が空洞部１２ｄ内に挿入され周壁１２ｃの内周面にてリブ１４ａが圧接されたとき、付加される押圧力により内方へ変形して直線状となる程度に設定している。これにより、一体型ゴム栓１４は空洞部１２ｄへの装着状態において、最外周の貫通穴１４Ｂも貫通穴１３ａおよび端子収容室１２ａとピッチずれなく同一軸線上に配置されることになる。なお、一体型ゴム栓１４の背面側はリヤホルダー１５の基部１５ｂ内面に密着一体化しているので、一体型ゴム栓１４を空洞部１２ｄ内に挿入して外周のリブ１４ａが内方へ押圧されても最外周の貫通穴１４Ｂがピッチずれすることはない。よって、貫通穴１４ｂの挿入先端側のみを外方へ屈曲させるようにしている。
【００２１】
また、本体ハウジング１２には、図５に示すように、端子収容室１２ａ内に挿入された端子金具Ｔからリヤホルダー１５を通して外部へ導出される電線Ｗを保護すると共に、電線Ｗを横出し方向に案内するためのコネクタカバー１７を装着可能としている。
【００２２】
次に上記構成からなる第１実施形態の防水コネクタ１０の作用について説明する。図３に示すように、本体ハウジング１２の空洞部１２ｄ内にインナーハウジング１３を挿入して、貫通穴１３ａを端子収容室１２ａに連通する状態とする。次いで、リヤホルダー１５に一体化された一体型ゴム栓１４を空洞部１２ｄ内に挿入することで外周のリブ１４ａを周壁１２ｃの内周に圧接させて、空洞部１２ｄとの間の水密性を確保する。このとき、一体型ゴム栓１４のリブ１４ａが周壁１２ｃの内周面から内方へ押圧されるため、これに伴って特に最外周に位置する貫通穴１４Ｂがこの押圧力の影響でピッチずれする状況となっている。しかしながら、最外周の貫通穴１４Ｂは、この押圧によるピッチずれを見越して挿入先端側を外方へ屈曲させているので、図４（Ａ）（Ｂ）に示すように、この屈曲させた分が変形して貫通穴１４Ｂは直線状となる。これにより、他の貫通穴１４ｂと同様に最外周の貫通穴１４Ｂも端子収容室１２ａに対し、ピッチずれを生じることなく配置することができる。
【００２３】
一方、一体型ゴム栓１４の基部側においては、リヤホルダー１５と一体成形されているため、リブ１４ａの縮径に伴う押圧力の影響によって最外周の貫通穴１４Ｂのピッチずれを生じることはない。このようにして、空洞部１２ｄ内への一体型ゴム栓１４の挿入が完了すると同時に、リヤホルダー１５の外周部１５ａが周壁１２ｃに外嵌され、ロック部１６によって係止保持される。これにより、リヤホルダー１５から端子収容室１２ａへ至るまで、貫通穴１５ｃ、１４ｂ（１４Ｂ）、１３ａを介して端子金具Ｔの挿入経路が直線状に連通した状態となる。
【００２４】
次いで、図５に示すように、リヤホルダー１５の貫通穴１５ｃから電線Ｗ端末の端子金具Ｔを挿入する。すると、端子金具Ｔは一体型ゴム栓１４の貫通穴１４ｂを拡開しながら挿入され、インナーハウジング１３の貫通穴１３ａを通過して端子収容室１２ａ内へ挿入される。端子金具Ｔの挿入操作に際しては、端子収容室１２ａに至る各貫通穴１３ａ、１４ｂ（１４Ｂ）、１５ｃがピッチずれすることなく直線状に連通しているので、端子金具Ｔの挿入操作を円滑に行うことができる。そして、定位置まで挿入されたとき、インナーハウジング１３の係止部１３ｂが端子金具Ｔの被係止部Ｔａに係合することで端子金具Ｔは抜け止め状態に保持される一方、電線Ｗは貫通穴１４ｂの縮径方向の弾圧力によって水密状態で保持される。
更に、必要に応じて本体ハウジング１２から導出される電線Ｗを保護すると共に、電線Ｗの引き出し方向を横方向へ案内するためのコネクタカバー１７を背面側から被せて固定することもできる。
【００２５】
図６、図７は、防水コネクタ２０の第２実施形態を示し、本実施形態においては、リヤホルダー２５の貫通穴２５ｃのうち最外周に位置する貫通穴２５Ｃを他より大径に設定している。また、一体型ゴム栓２４において、貫通穴２４ｃのうち、リヤホルダー２５の大径の貫通穴２５Ｃに連通する最外周位置する貫通穴２４Ｃは、リヤホルダー２５の基部２５ｂに接する側を大径穴に設定している。これに伴い、最外周の貫通穴２４Ｃの内面側を挿入先端側面に向けて外方へ傾斜させる一方、外面側は傾斜させない状態とすることで最外周の貫通穴２４Ｃを先端に向けて小径化する形状としている。なお、その他の構成は第１実施形態と同様のため同一符号を付して説明を省略する。
本実施形態において、貫通穴２４Ｂの内面側を外方へ傾斜させる度合いは、一体型ゴム栓２４が空洞部１２ｄ内に挿入され周壁１２ｃの内周面にてリブ１４ａが圧接されたとき、付加される押圧力により内方へ変形してピッチずれなく連通することができる程度に設定している。
【００２６】
次に、第２実施形態の作用について説明する。
上記第１実施形態と同様に本体ハウジング１２に対し、インナーハウジング１３、一体型ゴム栓２４およびリヤホルダー２５を装着する。すると、図７（Ａ）（Ｂ）に示すように、上記一体型ゴム栓２４のリブ１４ａが空洞部１２ｄの周壁１２ｃに圧接されることで、一体型ゴム栓２４の挿入先端側に内方へ向けて押圧力が付加される。このとき、最外周の貫通穴２４Ｂは初期設定では内面側が外方へ傾斜しているが、一体型ゴム栓２４の装着に伴う内方への押圧力によって貫通穴２４Ｂが変形して先端挿入側の貫通穴２４Ｂの開口が端子収容室１２ａとピッチずれなく連通する状態となる。
【００２７】
かかる状態から、第１実施形態と同様に、リヤホルダー２５の貫通穴２５ｃから電線Ｗ端末の端子金具Ｔを挿入する。すると、端子金具Ｔは一体型ゴム栓２４の貫通穴２４ｂを拡開しながら挿入され、インナーハウジング１３の貫通穴１３ａを通過して端子収容室１２ａ内へ挿入される。そして、定位置まで挿入されたとき、インナーハウジング１３の係止部１３ｂが端子金具Ｔの被係止部Ｔａに係合することで端子金具Ｔは抜け止め状態に保持される一方、電線Ｗは貫通穴２４ｂの縮径方向の弾圧力によって水密状態で保持される。
更に、必要に応じて本体ハウジング１２から導出される電線Ｗを保護すると共に、電線Ｗの引き出し方向を横方向へ案内するためのコネクタカバー１７を背面側から被せて固定することもできる。
【００２８】
図８、図９は、防水コネクタ３０の第３実施形態を示し、本実施形態においては、一体型ゴム栓３４において、貫通穴３４ｃのうち、最外周位置する貫通穴３４Ｃを挿入先端面側へ向けて拡径するようにしている。詳しくは、リヤホルダー３５の基部３５ｂに接する側から挿入先端側面に向けて外面側を外方へ傾斜させる一方、内面側は傾斜させない状態とすることで挿入先端面側へ向けて拡径する形状としている。なお、その他の構成は第１実施形態と同様のため同一符号を付して説明を省略する。
本実施形態において、貫通穴３４Ｂの外面側を外方へ傾斜させる度合いは、一体型ゴム栓３４が空洞部１２ｄ内に挿入され周壁１２ｃの内周面にてリブ１４ａが圧接されたとき、付加される押圧力により内方へ変形してピッチずれなく連通することができる程度に設定している。
【００２９】
次に、第３実施形態の作用について説明する。
上記第１、第２実施形態と同様に本体ハウジング１２に対し、インナーハウジング１３、一体型ゴム栓３４およびリヤホルダー３５を装着する。すると、上記一体型ゴム栓３４のリブ１４ａが空洞部１２ｄの周壁１２ｃに圧接されることで、一体型ゴム栓３４の挿入先端側に内方へ向けて押圧力が付加される。このとき、最外周の貫通穴３４Ｂは初期設定では外面側が外方へ傾斜して拡径しているが、一体型ゴム栓３４の装着に伴う内方への押圧力によって貫通穴３４Ｂが変形して挿入先端側の貫通穴３４Ｂの開口が端子収容室１２ａとピッチずれなく連通する状態となる。
【００３０】
かかる状態から、第１、第２実施形態と同様に、リヤホルダー３５の貫通穴３５ｃから電線Ｗ端末の端子金具Ｔを挿入する。すると、端子金具Ｔは一体型ゴム栓３４の貫通穴２４ｂを拡開しながら挿入され、インナーハウジング２３の貫通穴１３ａを通過して端子収容室１２ａ内へ挿入される。そして、定位置まで挿入されたとき、インナーハウジング１３の係止部１３ｂが端子金具Ｔの被係止部Ｔａに係合することで端子金具Ｔは抜け止め状態に保持される一方、電線Ｗは貫通穴２４ｂの縮径方向の弾圧力によって水密状態で保持される。
更に、必要に応じて本体ハウジング１２から導出される電線Ｗを保護すると共に、電線Ｗの引き出し方向を横方向へ案内するためのコネクタカバー１７を背面側から被せて固定することもできる。
【００３１】
なお、上記各実施形態においては、ハウジングを本体ハウジングとインナーハウジングの２体構造にした例を示したが、両者一体のハウジングにも同様に適用可能である。また、一体型ゴム栓とリヤホルダーを二色成形により一体化した例を示したが、接着、凹凸嵌合により一体化してもよい。また、端子金具として雌端子を用いた雌コネクタの例を示したが、雄端子を用いた雄コネクタにも同様に適用することができる。
【００３２】
【発明の効果】
以上の説明より明らかなように本発明では、本体ハウジングの空洞部内に一体型ゴム栓を挿入したときに一体型ゴム栓の外周が受ける押圧力の影響によって、最外周の貫通穴のピッチがずれるのを予め予想して最外周の貫通穴に施した屈曲、傾斜等の処理によって吸収することができる。よって、一体型ゴム栓の貫通穴の配列にピッチずれを生じることがなく、一体型ゴム栓を通しての端子収容室内への端子金具の挿入作業を円滑に行うことができる。
【図面の簡単な説明】
【図１】本発明の防水コネクタの実施形態の分解断面図である。
【図２】（Ａ）は一体型ゴム栓とリヤホルダーの正面図、（Ｂ）はＸ−Ｘ断面図である。
【図３】本体ハウジング、インナーハウジング、一体型ゴム栓およびリヤホルダーの組み付け状態の断面図である。
【図４】（Ａ）は一体型ゴム栓を本体ハウジングの空洞部へ挿入する途中段階の要部断面図、（Ｂ）は完全挿入状態の要部断面図である。
【図５】端子収容室へ端子金具を挿入した状態の断面図である。
【図６】第２実施形態の防水コネクタを示し、（Ａ）は一体型ゴム栓とリヤホルダーの正面図、（Ｂ）はＸ−Ｘ断面図である。
【図７】（Ａ）は第２実施形態において、一体型ゴム栓を本体ハウジングの空洞部へ挿入する途中段階の要部断面図、（Ｂ）は端子収容室へ端子金具を挿入した状態の断面図である。
【図８】第３実施形態の防水コネクタを示し、（Ａ）は一体型ゴム栓とリヤホルダーの正面図、（Ｂ）はＸ−Ｘ断面図である。
【図９】（Ａ）は第３実施形態において、一体型ゴム栓を本体ハウジングの空洞部へ挿入する途中段階の要部断面図、（Ｂ）は端子収容室へ端子金具を挿入した状態の断面図である。
【図１０】（Ａ）は従来例の断面図、（Ｂ）は従来例の問題点の概略断面図である。
【符号の説明】
Ｔ  端子金具
Ｔａ  被係止部
Ｗ  電線
１０、２０、３０  防水コネクタ
１２  本体ハウジング
１２ａ  端子収容室
１２ｃ  周壁
１２ｄ  空洞部
１３  インナーハウジング
１３ａ  貫通穴
１３ｂ  係止部
１４、２４、３４  一体型ゴム栓
１４ａ  リブ
１４ｂ、２４ｂ、２４Ｂ、３４ｂ、３４Ｂ  貫通穴
１４ｃ  切込溝
１５、２５、３５  リヤホルダー
１５ｃ、２５ｃ、３５ｃ  貫通穴
【図１】
2004158356.tif 000003
【図２】
2004158356.tif 000004
【図３】
2004158356.tif 000005
【図４】
2004158356.tif 000006
【図５】
2004158356.tif 000007
【図６】
2004158356.tif 000008
【図７】
2004158356.tif 000009
【図８】
2004158356.tif 000010
【図９】
2004158356.tif 000011
【図１０】
2004158356.tif 000012